(57)【要約】【課題】建物の入場にかかるセキュリティシステムと連動したエレベータの利便性を向上させる。【解決手段】建物の玄関の認証装置２または玄関階ホールの認証装置４による認証を行なった際に、玄関階へのホール呼びを自動的に行ない、このホール呼びにしたがってエレベータかご７が着床して、玄関階のホールドアおよびかごドアが開扉した際に、これらのドアが３０秒間閉扉しないように制御する。各種ドアの開扉後３０秒間が経過する前にエレベータかご７内の認証装置５による認証を行なった場合には、行先階登録後３秒後に各種ドアを閉扉する。よって、住居者はエレベータかご７内の扉閉ボタンを操作する必要なしに、エレベータかご７の着床から運行開始までの時間を短縮することができる。【選択図】      図１
2005324889.tif 000002
【特許請求の範囲】
【請求項１】
外来者の建物への入場を許可して前記建物の入退出口のドアロックを解除するセキュリティシステムと連動し、前記建物内のエレベータの運転を制御するエレベータ運転制御システムであって、
前記セキュリティシステムが前記入退出口のドアロックを解除した際に、前記建物の予め定められた階床のホール呼びを登録するホール呼び手段と、
このホール呼びにしたがって乗りかごが着床して前記乗りかごの着床階床のホールドアおよびかごドアが開扉した時点から予め定められた第１の開扉時間が経過するまで、前記着床階床のホールドアおよびかごドアの開扉を維持するように制御する開扉制御手段と、
かご呼びを登録するかご呼び手段と、
前記着床階床のホールドアおよびかごドアが開扉してから前記第１の開扉時間が経過する前に前記かご呼びが登録され、このかご呼びが登録された時点から予め定められた第２の開扉時間が経過した際に、前記第１の開扉時間に関わらず前記着床階床のホールドアおよびかごドアが閉扉するように制御する手段と
を備えたことを特徴とするエレベータ運転制御システム。
【請求項２】
前記セキュリティシステムは、前記建物へ入場した外来者によるエレベータの利用を許可し、
前記ホール呼び手段は、前記セキュリティシステムが前記外来者によるエレベータの利用を許可した際に、前記予め定められた階床のホール呼びを登録する
ことを特徴とする請求項１に記載のエレベータ運転制御システム。
【請求項３】
前記セキュリティシステムは、前記ホール呼びにしたがって着床した乗りかごに乗った外来者のエレベータの利用を許可して、この外来者の目的階床の情報を取得し、
前記かご呼び手段は、前記セキュリティシステムが取得した目的階床のかご呼びを登録する
ことを特徴とする請求項１または２に記載のエレベータ運転制御システム。
【請求項４】
前記セキュリティシステムは、前記ホール呼びにしたがって着床した乗りかごに乗った外来者のエレベータの利用を許可し、
前記建物の各階床が前記乗りかごの不停止階床となるように制御する不停止制御手段と、
前記セキュリティシステムが前記着床した乗りかごに乗った外来者のエレベータの利用を許可した際に、前記不停止制御手段による制御を解除する解除手段と
をさらに備えたことを特徴とする請求項１または２に記載のエレベータ運転制御システム。
【請求項５】
前記不停止制御手段は、前記各階床が不停止階床となるための制御が前記解除手段により解除された後に、前記かご呼び手段により１階床のみのかご呼びが登録された際に、前記各階床が再び不停止階床となるように制御する
ことを特徴とする請求項４に記載のエレベータ運転制御システム。
【発明の詳細な説明】
【技術分野】
【０００１】
本発明は、外来者の建物への入場を許可するセキュリティシステムと連動したエレベータ運転制御システムに関する。
【背景技術】
【０００２】
従来、外来者の建物への入場を許可するセキュリティシステムと連動したエレベータ運転制御装置として、例えば特許文献１に開示されたようなものがある。前述したセキュリティシステムでは、予め住居者と該住居者の住居階との対比関係をデータベース化しておき、建物の入退出口での外来者による暗証番号の入力にしたがってデータベースを検索し、入力された暗証番号が既にデータベースに登録されていることを判別して、外来者が住居者であるとみなすことで建物への入場を許可する。
【０００３】
セキュリティシステムは、前述のように外来者の入場を許可した際に、エレベータの運行制御装置に対し、建物の玄関階のホール呼び信号、および入場許可された住居者の住居階のかご呼び信号を出力する。これにより、住居者が建物に入場してエレベータホールまで移動した際に乗りかごが既に待機しているので、住居者は、玄関階のホール呼びおよび住居階のかご呼びにかかる操作を行なうことなく、乗りかごに乗り込むだけで、住居階まで移動することができる。
【特許文献１】特開平７−２５２０３０号公報
【発明の開示】
【発明が解決しようとする課題】
【０００４】
前述したエレベータでは、乗りかごは、玄関階に着床した後、扉開の状態で待機している。この扉開の時間は、住居者が暗証番号を入力して入場許可を得た後、余裕を持って乗りかごに乗り込めるような時間に定められているが、住居者によっては、急いで住居階に移動したいなどの理由で、乗りかごに乗り込んだ後、エレベータを素早く運行させたい場合がある。
【０００５】
しかし、かごドアおよび玄関階のホールドアは、前述した扉開時間が経過するまで戸開状態のままなので、乗りかごに乗り込んだ住居者は、乗りかご内の戸閉ボタンを操作して扉閉状態に移行させる必要がある。また、乗りかごに乗り込んだ住居者が両手に重い荷物を持っているなどの理由で戸閉ボタンを押下することができない場合には、住居者は前述した戸開時間が経過するまで乗りかご内で待機しなければならない。
【０００６】
そこで、本発明の目的は、建物の入場にかかるセキュリティシステムと連動した際の利便性を向上させることが可能なエレベータ運転制御システムを提供することにある。
【課題を解決するための手段】
【０００７】
すなわち、本発明に係わるエレベータ運転制御システムは、外来者の建物への入場を許可して前記建物の入退出口のドアロックを解除するセキュリティシステムと連動し、前記建物内のエレベータの運転を制御するエレベータ運転制御システムであって、前記セキュリティシステムが前記入退出口のドアロックを解除した際に、前記建物の予め定められた階床のホール呼びを登録するホール呼び手段と、このホール呼びにしたがって乗りかごが着床して前記乗りかごの着床階床のホールドアおよびかごドアが開扉した時点から予め定められた第１の開扉時間が経過するまで、前記着床階床のホールドアおよびかごドアの開扉を維持するように制御する開扉制御手段と、かご呼びを登録するかご呼び手段と、前記着床階床のホールドアおよびかごドアが開扉してから前記第１の開扉時間が経過する前に前記かご呼びが登録され、このかご呼びが登録された時点から予め定められた第２の開扉時間が経過した際に、前記第１の開扉時間に関わらず前記着床階床のホールドアおよびかごドアが閉扉するように制御する手段とを備えたことを特徴とする。
【発明の効果】
【０００８】
本発明に係わるエレベータ運転制御システムでは、乗りかごの着床階のホールドアおよびかごドアが開扉してから予め定められた第１の開扉時間が経過する前にかご呼びが登録された場合に、かご呼びが登録された時点から予め定められた第２の開扉時間が経過した際に、第１の開扉時間の大小に関わらず着床階床のホールドアおよびかごドアが閉扉するように制御するので、第２の開扉時間を短い時間とすれば、住居者は乗りかご内の戸閉ボタンを操作せずとも素早く目的階床に移動することができる。
【発明を実施するための最良の形態】
【０００９】
以下図面により本発明の実施形態について説明する。  
（第１の実施形態）
まず、本発明の第１実施形態について説明する。
【００１０】
図１は、本発明の第１の実施形態にしたがったセキュリティシステムと連動したエレベータ運転制御システムの構成例を示すブロック図である。  
図１に示したシステムでは、建物に不審者が自由に出入りできないように設置された建物入退出口１の近傍に第１のセキュリティシステム認証装置２が設置され、この認証装置２は、外来者の建物の入場の許可を行なうためのセキュリティシステム制御装置３と接続される。
【００１１】
建物の玄関階のエレベータホールの壁面には、認証装置２と同様の機能を持つ第２のセキュリティシステム認証装置４が設置され、セキュリティシステム制御装置３と接続される。玄関階とは、建物入退出口１が設けられる階床である。
【００１２】
また、認証装置２，４と同様の機能をもつ第３のセキュリティシステム認証装置５がエレベータ昇降路６内のエレベータかご（乗りかご）７の中に設けられ、図示しないテールコードを介してセキュリティシステム制御装置３と接続される。エレベータかご７の中には、エレベータの利用者が行先階の登録などを行なうためのエレベータかご内操作盤８が設けられる。
【００１３】
前述した各所の認証装置２，４，５では、外来者の指紋パターンを読み取るための指紋読み取り部２ａ，４ａ，５ａを設けており、指紋パターンの読み取りにしたがって、これを認証データとしてセキュリティシステム制御装置３に出力する。なお、認証データは指紋パターンに限らず、例えば暗証番号であってもよい。この場合、認証装置２，４，５では、前述した指紋読み取り部２ａ，４ａ，５ａの代わりに、外来者による暗証番号の入力を受け付けるための図示しないキー入力部を設け、暗証番号が入力された際に、これを認証データとしてセキュリティシステム制御装置３に出力するようにすればよい。
【００１４】
セキュリティシステム制御装置３は、認証データと住居者データを対応付けたデータテーブルが登録されている住居者データベースを備える。住居者データとは、住居者の氏名や住居階、住居部屋番号などである。
【００１５】
セキュリティシステム制御装置３は、認証装置２から入力した認証データが住居者データベースに登録されていると判別することで、外来者が正当な住居者であるとみなし、建物入退出口１のドアロック機構（図示せず）によるドアロックを解除して、建物入退出口１が一定時間開扉するように制御するとともに、認証データに対応する住居者データを、エレベータＩ／Ｆ９を介してエレベータ昇降路６内のエレベータ制御盤１０に出力する。
【００１６】
また、セキュリティシステム制御装置３は、認証データを認証装置４，５から入力した場合には、認証装置２から入力した場合と同様に、入力した認証データが住居者データベースに登録されているか否かを判別するが、認証データが住居者データベースに登録されている場合であっても、建物入退出口１のドアロック機構に対する制御は行なわず、エレベータ制御盤１０に対する住居者データの出力のみを行なう。
【００１７】
エレベータ制御盤１０は、セキュリティシステム制御装置３からの住居者データの入力にしたがって、エレベータかご７を玄関階に呼び戻す機能、エレベータかご７の着床後に開扉したかごドアおよび玄関階のホールドア（図示せず）を予め定められた第１の開扉時間（例えば３０秒間）閉扉しないように制御するドアタイマ機能、および、セキュリティシステム制御装置３からの住居者データに対応する住居階への行先階登録を自動で行なう機能を有する。このとき、エレベータ制御盤１０は、指定された住居階以外の階床を不停止階床とする不停止制御を行っており、住居者がかご内操作盤８を操作してもかご呼び登録は出来ないようになっており、以下、図２に具体的な例を示す。
【００１８】
図２は、図１に示したシステムによる、１階（玄関階）からＮ階（最上階）までの各階床のホール呼びおよびかご呼びの可否を表にして示した図である。図中の「○」は、呼びの登録が出来ることを示し、「×」は呼びの登録が出来ないことを示す。
【００１９】
図２に示すように、かご呼びについては、エレベータ制御盤１０は、１階（玄関階）では「〇」として呼びの登録が出来るようになっており、それ以外の階は「×」として呼びの登録が出来ないこととしている。以上より、エレベータ制御盤１０が、住居者がかご内操作盤８を操作してもかご呼び登録が出来ないような不停止制御を行なっており、住居者は住居階以外の階に移動できない。
【００２０】
以上説明した構成のシステムの動作について説明する。  
図３は、図１に示したシステムによる処理動作の一例を示すフローチャートである。このエレベータ制御盤１０は、かご内操作盤８からの行先階登録がなされた場合に、エレベータかご７の玄関階への着床後におけるかごドアおよびホールドアの開扉時間を変更するように制御する。
【００２１】
以下、図１に示したシステムによる具体的な処理動作を説明する。まず、認証装置２，４，５は、認証データを入力すると、この認証データとともに、認証装置２，４，５のうち、認証データを入力した装置が何れであるかを区別するための識別コードをセキュリティシステム制御装置３に出力している。例えば建物入退出口１の認証装置２からは“１”の識別コードを出力し、玄関階のエレベータホールの認証装置４からは“２”の識別コードを出力し、エレベータかご７内の認証装置５からは“３”の識別コードを出力する。セキュリティシステム制御装置３は、認証装置２，４，５のいずれかから入力した認証データが住居者データベースに登録されていると判別した場合、前述した住居者コードとともに識別コードをエレベータＩ／Ｆ９に出力する。
【００２２】
エレベータＩ／Ｆ９は、セキュリティシステム制御装置３からの識別コードを参照して、認証データの入力が認証装置２，４，５の何れの装置でなされたかを判別する。つまりエレベータＩ／Ｆ９は、セキュリティシステム制御装置３からの識別コードが“１”である場合には、建物入退出口１の認証装置２による認証がなされたと判別し（ステップＳ１のＹＥＳ）、エレベータ制御盤１０がエレベータかご７を玄関階に呼び戻すように制御する（ステップＳ２）。
【００２３】
そしてエレベータ制御盤１０は、エレベータかご７が着床して、かごドアおよび玄関階のホールドアが開扉した時点から、この開扉状態が第１の開扉時間（３０秒間）にわたって継続するように制御する（ステップＳ３）。以後はステップＳ１の処理に戻る。
【００２４】
エレベータＩ／Ｆ９は、セキュリティシステム制御装置３からの識別コードが“２”である場合には、玄関階のエレベータホールの認証装置４による認証がなされたと判別し（ステップＳ４のＹＥＳ）、以後は前述したステップＳ２以降の処理を行なう。ステップｓ４の処理を行なえば、例えば玄関で認証を行なった住居者が建物に入場した後に落とし物をしたなどの理由で第１の開扉時間が経過する前にエレベータかご７に乗り込めなかった場合でも、ステップＳ２以降の処理を再度行なうことができる。
【００２５】
このような処理を行なうことで、住居者が建物入退出口１を通過して玄関階のエレベータホールに到着すると、エレベータかご７が玄関階に着床して戸開の状態で待機しているので、住居者は建物への入場後に玄関階でのホール呼びにかかる操作を行なうことなくエレベータかご７内に乗り込むことができる。
【００２６】
エレベータＩ／Ｆ９は、セキュリティシステム制御装置３からの識別コードが“３”である場合には、エレベータかご７内の認証装置５による認証がなされたと判別し（ステップＳ５のＹＥＳ）、セキュリティシステム制御装置３からの住居者データで示される住居階のかご呼び登録がなされるようにエレベータ制御盤１０を制御する（ステップＳ６）。
【００２７】
エレベータ制御盤１０は、エレベータＩ／Ｆ９からの制御にしたがってかご呼び登録を行ない、このかご呼び登録を行なったタイミングが、エレベータかご７が玄関階に着床して、かごドアおよび玄関階のホールドアが開扉してから第１の開扉時間が経過する以前のタイミングある場合には、前述した第１の開扉時間に関わらず、かご呼び登録を行なった時点から第２の開扉時間（例えば３秒間）の経過後に、かごドアおよび玄関階のホールドアが閉扉するようにエレベータ制御盤１０を制御する（ステップＳ７）。
【００２８】
これにより、住居者がエレベータかご７に乗り込んで認証を行なった際に、短時間でかごドアおよび玄関階のホールドアが閉扉するようになるので、住居者は、エレベータを素早く運行開始させたい場合でも、エレベータかご７内の扉閉ボタン（図示せず）を操作して、かごドアおよび玄関階のホールドアを強制的に閉扉させる必要がなくなる。
【００２９】
エレベータ制御盤１０は、かごドアおよび玄関階のホールドアを閉扉させた後に（ステップＳ８のＹＥＳ）、ステップＳ６の処理によりかご呼び登録された住居階へエレベータかご７が昇降するように制御する（ステップＳ９）。
【００３０】
以上のように、セキュリティシステム制御装置３は、エレベータかご７内の認証装置５からの認証データにしたがって、住居者のエレベータの利用を許可した場合に、エレベータ制御盤１０は玄関の認証装置２または玄関階ホールの認証装置４による認証を行なった際に設定した、かごドアおよび玄関階のホールドアの開扉時間（３０秒間）の経過前であっても、これらのドアが閉扉するように制御する。これにより、住居者は、玄関または玄関階のエレベータホールでの認証を行なった際に、手動によるホール呼びの登録を行なうことなくエレベータかご７に乗り込める上に、エレベータかご７に乗り込んだあとでかご呼びに係る操作およびエレベータかご７内の扉閉ボタンの操作を行なう必要なしに、エレベータかご７の着床から運行開始までの時間を短縮することができるので、住居者がエレベータを用いて急いで住居階に移動したい場合に有効である。よって、建物のセキュリティシステムと連動したエレベータの利便性を向上させることができる。
【００３１】
（第２の実施形態）
次に、本発明の第２の実施形態について説明する。なお、本実施形態に係るセキュリティシステムおよびエレベータ運転制御システムの構成は、図１に示したものと基本的にほぼ同様であるので、同一部分の説明は省略する。
【００３２】
図４は、本発明の第２の実施形態にしたがったセキュリティシステムおよびエレベータ運転制御システムの構成例を示すブロック図である。このシステムでは、図１に示したエレベータかご７内の認証装置５を設けない構成となっている。つまり、前述したような、自動的なかご呼び登録は行なわない。このシステムでは、認証装置２または４による認証を経てエレベータかご７が玄関階に着床した後、住居者がかご内操作盤８を操作して行先階登録した際に、かごドアおよび玄関階のホールドアの開扉時間を変更する制御を行なう。
【００３３】
エレベータ制御盤１０は、玄関での認証前は、図２に示すように、前述した不停止制御を行なっているが、玄関での認証後は不停止制御を解除する。これにより、第１の実施形態で説明したシステムと異なり、エレベータかご７に乗り込んだ住居者は、住居階以外の目的階の行先階登録を行なうことができるようになり、以下、図５に具体的な例を示す。
【００３４】
図５は、図４に示したシステムにより外来者の入場を許可した際の、各階床のホール呼びおよびかご呼びの可否を表にして示した図である。
【００３５】
図５に示すように、かご呼びについては、エレベータ制御盤１０は、全ての階が「〇」として呼びの登録が出来るようになっている。以上より、エレベータ制御盤１０は、玄関での認証前は図２に示すような不停止制御を行なっているが、玄関での認証後は図５に示すように不停止制御を解除しており、住居者は全ての階の行先階登録が可能となる。
【００３６】
図６は、図４に示したシステムによる処理動作の一例を示すフローチャートである。  
エレベータＩ／Ｆ９は、前述したステップＳ１〜Ｓ４の処理を行なう。そしてエレベータ制御盤１０は、エレベータかご７内に乗り込んだ住居者がかご内操作盤８を操作して、住居階またはその他の目的階への行先階登録がなされた場合（ステップＳ１０）には、前述したステップＳ７以降の処理を行なう。
【００３７】
このような構成とすれば、玄関の認証装置２または玄関階ホールの認証装置４による認証を行なった際に設定された、かごドアおよび玄関階のホールドアの第１の開扉時間（３０秒間）の経過前にかご内操作盤８の操作による行先階登録を行なった際に、かごドアおよび玄関階のホールドアが短時間で閉扉するよう制御する。よって、住居者は、玄関または玄関階のエレベータホールでの認証後に、ホール呼びにかかる操作を行なうことなくエレベータかご７内に乗り込める上に、行先階登録を行なった後にエレベータかご７内の扉閉ボタンを操作する必要なしに、エレベータかご７の運行開始までの時間を短縮することができる。つまり、第１の実施形態で説明したシステムと比較してセキュリティレベルは低下するが、住居者がエレベータを用いて住居階以外の階床に素早く移動したい場合に有効である。
【００３８】
（第３の実施形態）
次に、本発明の第３の実施形態について説明する。なお、本実施形態に係るセキュリティシステムおよびエレベータ運転制御システムの構成は、図１に示したものと基本的にほぼ同様であるので、同一部分の説明は省略する。
【００３９】
前述した第２の実施形態にしたがったシステムのように、認証にともなう住居階の行先階登録および不停止制御を行なわないシステムでは、住居者が玄関階からエレベータに乗って住居階以外へも移動できるので、階間交通を行なう際に便利であるが、エレベータが玄関階で戸開待機中に不審者が住居者より先にエレベータかご７に乗って行先階登録を行なうことで、エレベータを不正に利用されてしまう問題がある。本実施形態にしたがったシステムは、住居階以外の任意の階床のかご呼びを行なえるようにした場合でも、不審者によるエレベータの利用を防ぐようにしている。
【００４０】
図７は、本発明の第３の実施形態にしたがったセキュリティシステムおよびエレベータ運転制御システムの処理動作の一例を示すフローチャートである。  
このシステムでは、前述したステップＳ１〜Ｓ４と同様の処理を行なう。そして、エレベータ制御盤１０は、エレベータかご７内の認証装置５による認証がなされたと判別するまで不停止制御を行っており、乗客がかご内操作盤８を操作しても行先階登録ができない。よって、住居者以外の者が建物内に不正に入場していてもエレベータを利用することはできない。
【００４１】
ステップＳ５の処理により「ＹＥＳ」と判別されると、エレベータＩ／Ｆ９は、エレベータの不停止制御が解除されるように、つまり、かご内操作盤８による行先階登録が行なえるようにエレベータ制御盤１０を制御する。エレベータ制御盤１０は、エレベータＩ／Ｆ９による制御にしたがって、不停止制御の解除を行なう（ステップＳ１１）。
【００４２】
そして、エレベータ制御盤１０は、エレベータかご７内に乗った乗客により、かご内操作盤８による１階床のみの行先階登録がなされたか否かを判別する（ステップＳ１２）。  
この処理の結果、１階床のみの行先階登録がなされた場合には（ステップＳ１２のＹＥＳ）、エレベータ制御盤１０は再び不停止制御を行ない、さらなる行先階登録が出来ないように制御する（ステップＳ１３）。ただし、かご内操作盤８の操作が、複数個の行先階登録ボタンの同時操作であった場合には、この操作を無効として行先階登録を行なわない。ステップＳ１３の処理以後は、前述したステップＳ７以降の処理を行なう。
【００４３】
図７に示したシステムでは、エレベータかご７内の認証装置５による認証を行なってから１階床のみの行先階登録を行なうまでの各階床のホール呼びおよびかご呼びの可否は図５に示したものと同様であり、かご７内の認証装置５による認証を行なう前、および、認証後に１階床のみの行先階登録を行なった後の各階床のホール呼びおよびかご呼びの可否は図２に示したものと同様である。
【００４４】
このような構成とすれば、各階床を不停止階床とする不停止制御を行なっていて、かご７内の認証装置５による認証がなされた場合に不停止制御が解除される。よって、住居者が階間交通を行なえるようにした上で、エレベータのセキュリティレベルを向上させることができる。
【００４５】
また、前述した不停止解除後に１階床のみの行先階登録がなされた場合に再び不停止制御を行なうようにすることで、たまたま乗り合わせた不審者による不正な行先階登録を抑制できる。これにより、住居者が階間交通を行なえるようにした上で、エレベータのセキュリティレベルをさらに向上させることができる。
【００４６】
以上説明した各実施形態にしたがったシステムでは、住居者が建物入退出口１の前の認証装置２を用いて指紋照合を行った際に、セキュリティシステム制御装置３が建物の入場許可を行なって建物入退出口１を開扉することで玄関階のホール呼びを行なうと説明したが、住居者以外の外来者、例えば住居者の知人が来訪した際に、建物入退出口１の前に設けられたインターフォン（図示せず）による住居者との連絡などを経て住居者の住居内のオートロック解除用の端末から送信された解除信号にしたがって建物入退出口１を開扉することで玄関階のホール呼びを行なうようにしてもよい。
【００４７】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４８】
【図１】本発明の第１の実施形態にしたがったセキュリティシステムおよびエレベータ運転制御システムの構成例を示すブロック図。
【図２】図１に示したシステムによる各階床のホール呼びおよびかご呼びの可否を表にして示した図。
【図３】図１に示したシステムによる処理動作の一例を示すフローチャート。
【図４】本発明の第２の実施形態にしたがったセキュリティシステムおよびエレベータ運転制御システムの構成例を示すブロック図。
【図５】図４に示したシステムにより外来者の入場を許可した際の、各階床のホール呼びおよびかご呼びの可否を表にして示した図。
【図６】図４に示したシステムによる処理動作の一例を示すフローチャート。
【図７】本発明の第３の実施形態にしたがったセキュリティシステムおよびエレベータ運転制御システムの処理動作の一例を示すフローチャート。
【符号の説明】
【００４９】
１…建物入退出口、２…第１のセキュリティシステム認証装置、２ａ，４ａ，５ａ…指紋読み取り部、３…セキュリティシステム制御装置、４…第２のセキュリティシステム認証装置、５…第３のセキュリティシステム認証装置、６…エレベータ昇降路、７…エレベータかご、８…エレベータかご内操作盤、９…エレベータＩ／Ｆ、１０…エレベータ制御盤。
【図１】
2005324889.tif 000003
【図２】
2005324889.tif 000004
【図３】
2005324889.tif 000005
【図４】
2005324889.tif 000006
【図５】
2005324889.tif 000007
【図６】
2005324889.tif 000008
【図７】
2005324889.tif 000009